(57)【要約】【課題】販売用ペットに生じるストレスが少なく、かつ展示スペースを有効活用することが可能なペット展示用ディスプレイ及びそれを用いたペット展示販売ブースを提供することを目的とする。【解決手段】展示用ディスプレイ３０は、第２展示ケース２０ａが第１展示ケース２０の上方に所定の空間を隔てて設けられているため、上方からの圧迫感が減少し第１展示ケース２０に収容された販売用ペットＰのストレスを軽減することができる。また、ペット展示用ディスプレイ３０は販売用ペットＰのストレス軽減を図りながら、第１展示ケース２０、第２展示ケース２０ａを上下に２段積載することが可能であるため、デッドスペースが少なく展示スペースを有効に活用することが出来る。【選択図】図１
2009136620.tif 000002
【特許請求の範囲】
【請求項１】
販売用ペットを収容可能な床面積を有する床部と少なくとも一面が透明でかつ販売用ペットが自力で乗り越えることが不可能な高さを備えた展示壁部と開閉部により開閉可能な出入口を備えた側壁部とを有する上方が開口した第１展示ケースと、
第１展示ケースと同等もしくはそれよりも小さい床面積を有する床部と少なくとも一面が透明でかつ販売用ペットが自力で乗り越えることが不可能な高さを備えた展示壁部と開閉部により開閉可能な出入口を備えた側壁部とを有する第２展示ケースと、を有し、
第２展示ケースが第１展示ケースの上方に所定の空間を隔てて設置されることを特徴とするペット展示用ディスプレイ。
【請求項２】
前記第１展示ケース及び第２展示ケースの出入口の下端が床部上面よりも高い位置に設けられ、
前記出入口の開放時に出入口の下端と床部上面との間に所定の高さの段差部を形成することを特徴とする請求項１記載のペット展示用ディスプレイ。
【請求項３】
顧客側に位置する少なくとも一面が透明領域を備えた展示壁であるペット展示販売ブースにおいて、
当該展示壁側に前記第１展示ケース及び第２展示ケースの透明な展示壁部側が位置するように１つ以上の請求項１又は請求項２記載のペット展示用ディスプレイを配置したことを特徴とするペット展示販売ブース。
【請求項４】
顧客側に位置する少なくとも一つの面が透明な領域を備えた壁部と、複数の販売用ペットが十分に歩きまわることが可能な床面積を有する展示床部と、を有する放飼い展示ブースを備えたことを特徴とする請求項３記載のペット展示販売ブース。
【請求項５】
ペット用ホテル施設、ペット用トリミング施設、セルフウォシュ施設のうち１つ以上を備えたことを特徴とする請求項３又は請求項４に記載のペット展示販売ブース。
【発明の詳細な説明】
【技術分野】
【０００１】
本発明は、ペットの販売を行うペットショップ等で使用するペット展示用ディスプレイ及びペット展示販売ブースに関するものである。
【背景技術】
【０００２】
ペットショップ等で犬や猫などのペットを販売する場合、販売用ペットを顧客側の壁面が透明な比較的小型のケージに個別に収容して展示し、顧客が販売用ペットの様子を観察できるようにしながら販売を行うことが一般的である。このようなケージの例として、下記[特許文献１]には生産コストの低減を図った安価なペット用ケースに関する考案が開示されている。
【０００３】
【特許文献１】登録実用新案第３０２９３００号公報
【発明の開示】
【発明が解決しようとする課題】
【０００４】
しかしながら、上記のようなケージは箱状で内部が狭く、特にケージ内における天井方向からの圧迫感は、販売用ペットに対するストレスの発生要因の一つとなっている。また、上方が開放されたケージはこのストレスの発生要因を除くことが可能なものの、積み重ねて使用することが困難なため展示スペースを有効活用できないという問題点がある。
【０００５】
本発明は、上記事情に鑑みてなされたものであり、販売用ペットに生じるストレスが少なく、かつ展示スペースを有効活用することが可能なペット展示用ディスプレイ及びそれを用いたペット展示販売ブースを提供することを目的とする。
【課題を解決するための手段】
【０００６】
本発明は、
（１）販売用ペットＰを収容可能な床面積を有する床部２１と少なくとも一面が透明でかつ販売用ペットＰが自力で乗り越えることが不可能な高さを備えた展示壁部２３と開閉部２５により開閉可能な出入口２２を備えた側壁部３３とを有する上方が開口した第１展示ケース２０と、
第１展示ケース２０と同等もしくはそれよりも小さい床面積を有する床部２１ａと少なくとも一面が透明でかつ販売用ペットが自力で乗り越えることが不可能な高さを備えた展示壁部２３と開閉部２５により開閉可能な出入口２２を備えた側壁部３３とを有する第２展示ケース２０ａと、を有し、
第２展示ケース２０ａが第１展示ケース２０の上方に所定の空間を隔てて設置されることを特徴とするペット展示用ディスプレイ３０を提供することにより、上記課題を解決する。
（２）前記第１展示ケース２０及び第２展示ケース２０ａの出入口２２の下端が床部２１、２１ａ上面よりも高い位置に設けられ、
前記出入口２２の開放時に出入口２２の下端と床部２１、２１ａ上面との間に所定の高さの段差部３５を形成することを特徴とする上記（１）のペット展示用ディスプレイ３０を提供することにより、上記課題を解決する。
（３）顧客Ｃ側に位置する少なくとも一面が透明領域を備えた展示壁３であるペット展示販売ブースにおいて、
当該展示壁３側に前記第１展示ケース２０及び第２展示ケース２０ａの透明な展示壁部３２側が位置するように１つ以上の上記（１）又は（２）のペット展示用ディスプレイ３０を配置したことを特徴とするペット展示販売ブース５０を提供することにより、上記課題を解決する。
（４）顧客Ｃ側に位置する少なくとも一つの面が透明な領域を備えた壁部３ａと、複数の販売用ペットが十分に歩きまわることが可能な床面積を有する展示床部１と、を有する放飼い展示ブース５４を備えたことを特徴とする上記（３）のペット展示販売ブース５０ａを提供することにより、上記課題を解決する。
（５）ペット用ホテル施設、ペット用トリミング施設、セルフウォシュ施設のうち１つ以上を備えたことを特徴とする上記（３）又は（４）のペット展示販売ブースを提供することにより、上記課題を解決する。
【発明の効果】
【０００７】
本発明に係るペット展示用ディスプレイは、上記の構成により、
販売用ペットに対するストレスを軽減しながら、展示スペースを有効活用することが可能となる。
また、本発明に係るペット展示販売ブースは、上記の構成により、
販売用ペットに対するストレスを軽減しながら、効果的に販売用ペットの展示販売を行うことが出来る。
【発明を実施するための最良の形態】
【０００８】
本発明に係るペット展示用ディスプレイ及びペット展示販売ブースの実施の形態について図面に基づいて説明する。図１は、本発明に係るペット展示用ディスプレイの例を示す斜視図である。図２は、本発明に係るペット展示用ディスプレイの変形例を示す斜視図である。図３は、本発明に係るペット展示販売ブースの例を示す模式的な平面図である。
【０００９】
図１に示す本発明に係るペット展示用ディスプレイ３０は、上方が開口した第１展示ケース２０と、第１展示ケース２０と同等もしくはそれよりも小さい床面積を有する第２展示ケース２０ａとを有している。そして、第２展示ケース２０ａは第１展示ケース２０の上方に所定の空間を隔てて設置される。
【００１０】
ペット展示用ディスプレイ３０を構成する第１展示ケース２０は、販売用ペットＰを収容可能な床面積を有する床部２１と、販売用ペットＰが自力で乗り越えることが不可能な高さを備えた展示壁部２３と、開閉部２５により開閉可能な出入口２２を備えた側壁部３３と、を有しておりペット展示用ディスプレイ３０の台座３１上に載置される。また、第２展示ケース２０ａは第１展示ケース２０と同等もしくはそれよりも小さい床面積を有する床部２１ａと販売用ペットＰが自力で乗り越えることが不可能な高さを備えた展示壁部２３と開閉部２５により開閉可能な出入口２２を備えた側壁部３３とを有している。
【００１１】
台座３１は所定の厚さを有していることが好ましく、これにより顧客は立った姿勢のままで楽に第１展示ケース２０、第２展示ケース２０ａに収容された販売用ペットＰを観察することができる。また、台座３１の下部にはキャスタ３９を設置することが好ましく、これによりペット展示用ディスプレイ３０の移動が容易となり、簡単にペット展示販売ブースのレイアウト変更が可能となる。
【００１２】
第１展示ケース２０、第２展示ケース２０ａの展示壁部２３は透明なガラスやアクリル等の合成樹脂で形成され、顧客はこの展示壁部２３を介して第１展示ケース２０、第２展示ケース２０ａ内に収容された販売用ペットＰを観察することが出来る。尚、展示壁部２３は３面とも透明であることが好ましいが、少なくとも顧客側に位置する一面が透明であれば良い。この際、展示壁部２３の不透明な領域には木材や金属、不透明な合成樹脂を用いても良い。
【００１３】
また、第１展示ケース２０、第２展示ケース２０ａの床部２１、２１ａの床面積は、複数の仔犬もしくは仔猫を収容した場合でもそれらの販売用ペットＰに過度のストレスを生じさせない程度の面積を有していることが好ましい。
【００１４】
側壁部３３に形成された出入口２２は、販売用ペットＰの出し入れや展示ケース内部の清掃、給餌などのメンテナンス等に用いられ開閉部２５によって開閉可能となっている。出入口２２の開閉部２５は、図１に示すように、左右方向に開閉する２枚の扉を用いることが好ましいが、上方向、下方向に開閉する扉や引き戸、着脱式の扉、シャッター等を用いても良い。尚、開閉部２５には販売員が第１展示ケース２０、第２展示ケース２０ａ内を観察できるよう覗き窓を備えることが好ましく、また開閉部２５は顧客から販売員による作業等が見えにくいように不透明とすることが好ましい。また、開閉部２５は一枚で構成しても良いが、収容された複数の販売用ペットＰの内から特定の販売用ペットＰを取り出す作業のように出入口２２が比較的小さい方が容易な作業もあるため、図１のように開閉部２５を複数で構成し出入口２２の大きさを選択可能とすることが好ましい。この際、個々の開閉部２５毎に止め具を設置し、一方の開閉部２５を開放している間に他方の開閉部２５が開放しないようにすることが好ましい。
【００１５】
また、出入口２２を床部２１、２１ａの上面よりも所定の寸法だけ高い位置に設け、出入口２２が開放されたときには出入口２２の下端と床部２１、２１ａの上面との間に所定の高さの段差部３５を形成することが好ましい。この段差部３５は特に収容されている販売用ペットＰが仔犬である場合、出入口２２の開放時に販売用ペットＰの逃亡、落下をある程度防止する障壁として機能する。これは、仔犬が数センチの段差であってもこれを越えることを嫌悪する性質を利用したものである。尚、この段差部３５は販売員にとってはさほど大きな段差ではなく作業上の大きな障壁となることはない。この段差部３５の高さは、５０ｍｍ以上ではメンテナンス作業に支障をきたし、また５ｍｍ以下では上記の販売用ペットＰに対する機能が十分でないため、５ｍｍ〜５０ｍｍ程度、特に２０ｍｍ±５ｍｍ程度が好ましい。
【００１６】
更に、段差部３５は開閉部２５が閉じた場合には、開閉部２５の前面と段差部３５の前面とが略一面となるようにし、第１展示ケース２０、第２展示ケース２０ａの内側に段差部３５が突出しないことが好ましい。段差部３５が第１展示ケース２０、第２展示ケース２０ａの内側に突出する場合、販売用ペットＰが段差部３５の突出部を齧る傾向があり、段差部３５が金属等の硬い材質の場合には販売用ペットＰの特定部分が擦れて傷つき商品価値が下がる可能性がある。また、段差部３５が木材や合成樹脂等の軟らかい材質の場合には、段差部３５が摩耗して長期的には段差部３５の機能を失うこととなる。
【００１７】
ペット展示用ディスプレイ３０の所定の位置には、必要に応じて第１展示ケース２０、第２展示ケース２０ａ内を照らす照明や第１展示ケース２０、第２展示ケース２０ａ内を保温するヒーター等を設けても良い。
【００１８】
さらに、第１展示ケース２０、第２展示ケース２０ａの展示壁部２３は、図２に示すように、展示壁部２３の上端を内側に所定の幅折り返し、販売用ペットＰの越境防止の機能を強化しても良い。
【００１９】
また、図２に示すように、第１展示ケース２０、第２展示ケース２０ａの内部に脱着可能な仕切り版２３ａを設けて、第１展示ケース２０、第２展示ケース２０ａを複数の区画に分割し、販売用ペットＰの個別展示を可能とすることもできる。
【００２０】
また更に、第１展示ケース２０、第２展示ケース２０ａには、第１展示ケース２０、第２展示ケース２０ａを個別に覆うカーテン等の遮蔽物を設置可能として、第１展示ケース２０、第２展示ケース２０ａがメンテナンス中や空もしくは売却済み等の販売用ペットＰが収容されている場合に、これを覆い隠すようにしても良い。
【００２１】
尚、第１展示ケース２０、第２展示ケース２０ａを側壁部３３ごと取り外し可能とすれば、第１展示ケース２０、第２展示ケース２０ａを販売用ペットＰとともに移動させることで、販売用ペットＰの運搬、展示が容易に行えるようなる。
【００２２】
そして本発明に係るペット展示用ディスプレイ３０は、第２展示ケース２０ａが第１展示ケース２０の上方に所定の空間を隔てて設けられているため、上方からの圧迫感が減少し第１展示ケース２０に収容された販売用ペットＰのストレスを軽減することができる。さらに、第２展示ケース２０ａの床面積が第１展示ケース２０の床面積よりも小さい場合には、第１展示ケース２０の上方は部分的に開放され、販売用ペットＰに対するストレスがなお一層軽減される。
【００２３】
また、上段に位置する第２展示ケース２０ａの上方は開放されているため圧迫感が少なく、第２展示ケース２０ａに収容された販売用ペットＰのストレスも軽減することができる。尚、第２展示ケース２０ａの上部に販売用ペットＰを落下物等から保護するための蓋を設置する場合でも、この蓋を透明なアクリル等の部材で構成し販売用ペットＰの視野を確保することで、販売用ペットＰに対する圧迫感を減らしそのストレス軽減を図ることが出来る。
【００２４】
また、ペット展示用ディスプレイ３０は販売用ペットＰのストレス軽減を図りながら、第１展示ケース２０、第２展示ケース２０ａを上下に２段積載することが可能であるため、デッドスペースが少なく展示スペースを有効に活用することが出来る。
【００２５】
上記のペット展示用ディスプレイ３０は、例えば図３に示すような個別展示ブースとして機能するペット展示販売ブース５０に用いられる。図３に示すペット展示販売ブース５０は、顧客Ｃ側に位置する少なくとも一つの面が透明領域を備えた展示壁３を有している。そして、ペット展示用ディスプレイ３０は、ペット展示販売ブース５０の展示壁３側にペット展示用ディスプレイ３０の透明な展示壁部３２側が位置するように配置される。尚、ペット展示用ディスプレイ３０は展示壁３に沿って複数並列に配置することが好ましいが、特に単体で用いても構わない。尚、前述のように、ペット展示用ディスプレイ３０の台座３１にキャスタ３９が設置されている場合には、ペット展示販売ブース５０内におけるペット展示用ディスプレイ３０の配置を容易に変更することができる。
【００２６】
更に、本発明に係るペット展示販売ブースはペット展示販売ブース５０に加えて、顧客Ｃ側に位置する少なくとも一つの面が透明な領域を備えた壁部３ａと複数の販売用ペットＰが十分に歩きまわることが可能な床面積の展示床部１を有する放飼い展示ブース５４を備えたペット展示販売ブース５０ａとしても良い。この際、ペット展示用ディスプレイ３０はペット展示販売ブース５０ａの個別展示ブースとして機能するペット展示販売ブース５０に用いられる。また、ペット展示用ディスプレイ３０は放飼い展示ブース５４内に設置するようにしても良い。尚、放飼い展示ブース５４とは、比較的大きな空間に複数の販売用ペットＰを放し飼い状態で展示しその行動を観察することで、狭い展示ブース内では十分に把握することが難しかったペット固有の性格や協調性などを顧客Ｃに理解してもらうためのものである。
【００２７】
また更に、ペット展示販売ブース５０、５０ａには、ペット用ホテル施設、ペット用トリミング施設、セルフウォシュ施設等の付帯施設を設けても良い。尚、ペット用ホテルとは、顧客の飼育しているペットを一時的に預かって飼育するものである。また、トリミングブースとは、顧客の飼育しているペットの毛を顧客の要望にあわせてカットして整えたり、トリミングブースに設けられたペット用入浴設備にペットを入浴させペットの汚れを除去するものである。また、セルフウォシュとは前述のペット用入浴設備と同様なものであり、所定の料金を払って顧客自身がペットの入浴及び洗浄を行うものである。
【００２８】
そして、ペット展示用ディスプレイ３０を用いた本発明に係るペット展示販売ブース５０、５０ａは、ストレスの軽減された健康な販売用ペットＰを展示スペースを有効活用しながら効率良く販売することが出来る。
【００２９】
尚、本発明は本発明の要旨を逸脱しない範囲で変更して実施することが可能である。
【図面の簡単な説明】
【００３０】
【図１】本発明に係るペット展示用ディスプレイの例を示す斜視図である。
【図２】本発明に係るペット展示用ディスプレイの変形例を示す斜視図である。
【図３】本発明に係るペット展示販売ブースの例を示す模式的な平面図である。
【符号の説明】
【００３１】
１      展示床部
３      展示壁
３ａ    壁部
２０    第１展示ケース
２０ａ  第２展示ケース
２１、２１ａ  床部
２２    出入口
２３    展示壁部
２５    開閉部
３０    ペット展示用ディスプレイ
３３    側壁部
３５    段差部
５０、５０ａ  ペット展示販売ブース
５４    放飼い展示ブース
Ｐ      販売用ペット
Ｃ      顧客
【図１】
2009136620.tif 000003
【図２】
2009136620.tif 000004
【図３】
2009136620.tif 000005